(57)【特許請求の範囲】
【請求項１】
複数の原稿が積載可能な原稿給紙台にセットされている原稿を順次所定の原稿読取位置へ搬送する自動原稿搬送手段と、
この自動原稿搬送手段により上記原稿読取位置に搬送される原稿の画像を読取る読取手段と、
この読取手段により読取った画像を記憶する記憶手段と、
上記原稿給紙台に積載されている原稿の画像を１つづつ読み取る動作モードが指示されている場合、上記自動原稿搬送手段により上記原稿給紙台にセットされている原稿のうちの１枚の原稿だけを上記原稿読取位置に搬送させ、上記読取手段により上記原稿読取位置に搬送された１枚の原稿の画像を読み取り、この読取った１枚の原稿の画像を上記記憶手段に記憶することにより1枚の原稿に対する読取処理を行う第１の処理手段と、
この第１の処理手段により１枚の原稿に対する読取処理を行うとともに、次の原稿の有り無しの指示を要求する案内を表示する表示手段と、
この表示手段により表示されている案内に応じて次の原稿の有りが指示された場合、上記第１の処理手段により上記原稿給紙台にセットされている原稿のうち次の１枚の原稿に対する読取処理を行うとともに、上記表示手段により次の原稿の有り無しの指示を要求する案内を表示する第２の処理手段と、
上記表示手段により表示されている案内に応じて次の原稿の無しが指示された場合、上記記憶手段に記憶されている原稿の画像に基づいて被画像形成媒体への画像形成処理を行う第３の処理手段と、
を具備したことを特徴とする画像形成装置。
【請求項２】
原稿載置台に載置されている原稿の画像を読取る読取手段と、
この読取手段により読取った画像を記憶する記憶手段と、
この記憶手段に記憶した原稿の画像に基づいて画像形成処理を行う動作モードが指示されている場合、上記原稿載置台に載置されている原稿の画像を１枚の原稿の画像として上記読取手段により読み取り、この読取った画像を上記記憶手段に記憶することにより1枚の原稿に対する読取処理を行う第１の処理手段と、
この第１の処理手段により１枚の原稿に対する読取処理を行うとともに、次の原稿の有り無しの指示を要求する案内を表示する表示手段と、
この表示手段により表示された案内に応じて次の原稿の有りが指示された場合、上記第１の処理手段により上記原稿載置台に載置されている原稿を次の１枚の原稿の画像として次の1枚の原稿に対する読取処理を行うとともに、上記表示手段により次の原稿の有り無しの指示を要求する案内を表示する第２の処理手段と、
上記表示手段により表示された案内に応じて次の原稿の無しが指示された場合、上記記憶手段に記憶されている原稿の画像に基づいて被画像形成媒体への画像形成処理を行う第３の処理手段と、
を具備したことを特徴とする画像形成装置。
【請求項３】
複数の原稿が積載可能な原稿給紙台にセットされている原稿を順次所定の原稿読取位置へ搬送する自動原稿搬送手段と、
この自動原稿搬送手段により上記原稿読取位置に搬送される原稿の画像を読取る読取手段と、
この読取手段により読取った画像を記憶する記憶手段と、
上記原稿給紙台に積載されている原稿の画像を１つづつ読み取る動作モードと上記記憶手段に記憶した原稿の画像を編集する編集モードとが指示されている場合、上記自動原稿搬送手段により上記原稿給紙台にセットされている原稿のうちの１枚の原稿だけを上記原稿読取位置に搬送させ、上記読取手段により上記原稿読取位置に搬送された１枚の原稿の画像を読み取り、この読取った１枚の原稿の画像を上記記憶手段に記憶することにより1枚の原稿に対する読取処理を行う第１の処理手段と、
この第１の処理手段により１枚の原稿に対する読取処理を行うとともに、次の原稿の有り無しの指示を要求する案内を表示する表示手段と、
この表示手段により表示されている案内に応じて次の原稿の有りが指示された場合、上記第１の処理手段により上記原稿給紙台にセットされている原稿のうち次の１枚の原稿に対する読取処理を行うとともに、上記表示手段により次の原稿の有り無しの指示を要求する案内を表示する第２の処理手段と、
上記表示手段により表示されている案内に応じて次の原稿の無しが指示された場合、上記記憶手段に記憶されている画像に対して、上記編集モードに応じた編集処理を行ってから被画像形成媒体への画像形成処理を行う第３の処理手段と、
を具備したことを特徴とする画像形成装置。
【請求項４】
原稿載置台に載置されている原稿の画像を読取る読取手段と、
この読取手段により読取った画像を記憶する記憶手段と、
この記憶手段に記憶した原稿の画像を編集する編集モードが指示されている場合、上記原稿載置台に載置されている原稿の画像を１枚の原稿の画像として上記読取手段により読み取り、この読取った画像を上記記憶手段に記憶することにより1枚の原稿に対する読取処理を行う第１の処理手段と、
この第１の処理手段により１枚の原稿に対する読取処理を行うとともに、次の原稿の有り無しの指示を要求する案内を表示する表示手段と、
この表示手段により表示された案内に応じて次の原稿の有りが指示された場合、上記第１の処理手段により上記原稿載置台に載置されている原稿を次の１枚の原稿の画像として次の1枚の原稿に対する読取処理を行うとともに、上記表示手段により次の原稿の有り無しの指示を要求する案内を表示する第２の処理手段と、
上記表示手段により表示された案内に応じて次の原稿の無しが指示された場合、上記記憶手段に記憶されている画像に対して、上記編集モードに応じた編集処理を行ってから被画像形成媒体への画像形成処理を行う第３の処理手段と、
を具備したことを特徴とする画像形成装置。
【請求項５】
複数の原稿が積載可能な原稿給紙台にセットされている原稿を順次所定の原稿読取位置へ搬送する自動原稿搬送手段と、
この自動原稿搬送手段により上記原稿読取位置に搬送される原稿の画像を読取る読取手段と、
この読取手段により読取った画像を記憶する記憶手段と、
上記原稿給紙台に積載されている原稿の画像を１つづつ読み取る動作モードが指示されている場合、上記自動原稿搬送手段により上記原稿給紙台にセットされている原稿のうちの１枚の原稿だけを上記原稿読取位置に搬送させ、上記読取手段により上記原稿読取位置に搬送された１枚の原稿の画像を読み取り、この読取った１枚の原稿の画像を上記記憶手段に記憶することにより1枚の原稿に対する読取処理を行う第１の処理手段と、
この第１の処理手段により１枚の原稿に対する読取処理を行うとともに、次の原稿の有り無しの指示を要求する案内と次の原稿の有り無しを指示する指示キーとを表示する表示手段と、
この表示手段により表示されている案内に応じて上記指示キーにより次の原稿の有りが指示された場合、上記第１の処理手段により上記原稿給紙台にセットされている原稿のうち次の１枚の原稿に対する読取処理を行うとともに、上記表示手段により次の原稿の有り無しの指示を要求する案内と次の原稿の有り無しを指示する指示キーとを表示する第２の処理手段と、
上記表示手段により表示されている案内に応じて上記指示キーにより次の原稿の無しが指示された場合、上記記憶手段に記憶されている原稿の画像に基づいて被画像形成媒体への画像形成処理を行う第３の処理手段と、
を具備したことを特徴とする画像形成装置。
【請求項６】
原稿載置台に載置されている原稿の画像を読取る読取手段と、
この読取手段により読取った画像を記憶する記憶手段と、
この記憶手段に記憶した原稿の画像に基づいて画像形成処理を行う動作モードが指示されている場合、上記原稿載置台に載置されている原稿の画像を１枚の原稿の画像として上記読取手段により読み取り、この読取った画像を上記記憶手段に記憶することにより1枚の原稿に対する読取処理を行う第１の処理手段と、
この第１の処理手段により１枚の原稿に対する読取処理を行うとともに、次の原稿の有り無しの指示を要求する案内と次の原稿の有り無しを指示する指示キーとを表示する表示手段と、
この表示手段により表示された案内に応じて上記指示キーにより次の原稿の有りが指示された場合、上記第１の処理手段により上記原稿載置台に載置されている原稿を次の１枚の原稿の画像として次の1枚の原稿に対する読取処理を行うとともに、上記表示手段により次の原稿の有り無しの指示を要求する案内と次の原稿の有り無しを指示する指示キーとを表示する第２の処理手段と、
上記表示手段により表示された案内に応じて上記指示キーにより次の原稿の無しが指示された場合、上記記憶手段に記憶されている原稿の画像に基づいて被画像形成媒体への画像形成処理を行う第３の処理手段と、
を具備したことを特徴とする画像形成装置。
【請求項７】
複数の原稿が積載可能な原稿給紙台にセットされている原稿を順次所定の原稿読取位置へ搬送する自動原稿搬送手段と、
この自動原稿搬送手段により上記原稿読取位置に搬送される原稿の画像を読取る読取手段と、
この読取手段により読取った画像を記憶する記憶手段と、
上記原稿給紙台に積載されている原稿の画像を１つづつ読み取る動作モードと上記記憶手段に記憶した原稿の画像を編集する編集モードとが指示されている場合、上記自動原稿搬送手段により上記原稿給紙台にセットされている原稿のうちの１枚の原稿だけを上記原稿読取位置に搬送させ、上記読取手段により上記原稿読取位置に搬送された１枚の原稿の画像を読み取り、この読取った１枚の原稿の画像を上記記憶手段に記憶することにより1枚の原稿に対する読取処理を行う第１の処理手段と、
この第１の処理手段により１枚の原稿に対する読取処理を行うとともに、次の原稿の有り無しの指示を要求する案内と次の原稿の有り無しを指示する指示キーとを表示する表示手段と、
この表示手段により表示されている案内に応じて上記指示キーにより次の原稿の有りが指示された場合、上記第１の処理手段により上記原稿給紙台にセットされている原稿のうち次の１枚の原稿に対する読取処理を行うとともに、上記表示手段により次の原稿の有り無しの指示を要求する案内と次の原稿の有り無しを指示する指示キーとを表示する第２の処理手段と、
上記表示手段により表示されている案内に応じて上記指示キーにより次の原稿の無しが指示された場合、上記記憶手段に記憶されている画像に対して、上記編集モードに応じた編集処理を行ってから被画像形成媒体への画像形成処理を行う第３の処理手段と、
を具備したことを特徴とする画像形成装置。
【請求項８】
原稿載置台に載置されている原稿の画像を読取る読取手段と、
この読取手段により読取った画像を記憶する記憶手段と、
この記憶手段に記憶した原稿の画像を編集する編集モードが指示されている場合、上記原稿載置台に載置されている原稿の画像を１枚の原稿の画像として上記読取手段により読み取り、この読取った画像を上記記憶手段に記憶することにより1枚の原稿に対する読取処理を行う第１の処理手段と、
この第１の処理手段により１枚の原稿に対する読取処理を行うとともに、次の原稿の有り無しの指示を要求する案内と次の原稿の有り無しを指示する指示キーとを表示する表示手段と、
この表示手段により表示された案内に応じて上記指示キーにより次の原稿の有りが指示された場合、上記第１の処理手段により上記原稿載置台に載置されている原稿を次の１枚の原稿の画像として次の1枚の原稿に対する読取処理を行うとともに、上記表示手段により次の原稿の有り無しの指示を要求する案内と次の原稿の有り無しを指示する指示キーとを表示する第２の処理手段と、
上記表示手段により表示された案内に応じて上記指示キーにより次の原稿の無しが指示された場合、上記記憶手段に記憶されている画像に対して、上記編集モードに応じた編集処理を行ってから被画像形成媒体への画像形成処理を行う第３の処理手段と、
を具備したことを特徴とする画像形成装置。
【発明の詳細な説明】
【０００１】
【発明の属する技術分野】
この発明は、たとえば原稿の画像を電子ソートやメモリ編集コピーを行ってコピー画像を得る複写機等の画像形成装置に関する。
【０００２】
【従来の技術】
従来、複写機等の画像形成装置の原稿入力制御では、その原稿が最後の原稿であるかないかを、次のように判断する方式を採用している。
（１）自動原稿送り装置（ＡＤＦ）の使用時
原稿給紙動作が終わった時点で、毎回ＡＤＦ上に原稿があるかないかを光センサにより検出している。
【０００３】
特殊なモードを除き、原稿はすべて一度にＡＤＦ上に置くことを前提としているので、原稿給紙が終わってスキャンを開始する時点でＡＤＦ上に原稿がないと、これからスキャンを行う対象の原稿が最後の原稿であると判断する。
【０００４】
（２）ＡＤＦの不使用時
連続給紙を自動的に行うＡＤＦを使用しない場合は、次の原稿あり、次の原稿なしを判断する基準は、ユーザが原稿をセットしてコピーキーを押すか否かを検出する以外にない。
【０００５】
しかし、ユーザがコピーキーを押さなかったときを次原稿なしの基準にすると、コピーキーを押さなかったと判断するために、一定時間コピーキーが操作されなかったか否かを検知しなければならない。このため、次原稿なしの判断に一定時間を要することになる。
【０００６】
上記（１）のＡＤＦの使用時の場合、原稿入力が終わった時点でＡＤＦ上に原稿がないと、直前の原稿を原稿の最終ページと判断していたため、４ｉｎ１機能などを行う際に、１枚ずつ原稿をセットすると、原稿がセットされるごとに１／４に縮小されたコピーが出力されるようになってしまう。
【０００７】
上記（２）のＡＤＦの不使用時には、次原稿なしの判断に一定時間を要するため、操作性の悪化を招いてしまう。
したがって、従来は以下に示す例１や例２に記載したような操作系を構成するのが一般的であった。
【０００８】
すなわち、ＡＤＦを使用しないでコピーを撮る場合、またはＡＤＦの原稿１枚送りモードを使ってメモリ編集コピーする場合、複写機側で原稿の最終ページを認識する手段がないため、思うような編集結果が得られないことが多い。
【０００９】
例えば、いまメモリ編集コピーの一つである４ｉｎ１機能でＡＤＦを使用せずにコピーをとる場合を考え、図１７（ａ）のような３枚の原稿を１枚づつ入力して４ｉｎ１コピーを得ることを想定する。
【００１０】
＜例１＞
（１）１枚目の原稿をセットしてコピーキーを押下
（２）１枚目原稿（画像「Ｃ」）スキャン
（３）１枚目画像ファイル化
（４）「つぎの原稿をセットして、コピーキーを押してください。／最後の原稿のときはエンドキーを押して下さい」表示を行う。
【００１１】
（５）２枚目の原稿をセットしてコピーキーを押下
（６）２枚目原稿（画像「Ｂ」）スキャン
（７）２枚目画像ファイル化
（８）「つぎの原稿をセットして、コピーキーを押してください。／最後の原稿のときはエンドキーを押して下さい」表示を行う。
【００１２】
（９）３枚目の原稿をセットしてエンドキーを押下
（１０）３枚目原稿（画像「Ａ」）スキャン
（１１）３枚目画像ファイル化
（１２）プリントスタート
＜例２＞
（１）１枚目の原稿をセットしてコピーキーを押下
（２）１枚目原稿（画像「Ｃ」）スキャン
（３）１枚目の原稿をスキャン中に「つぎの原稿があるときは次原稿ありキーを押してください」表示を行う。
【００１３】
（４）１枚目スキャン中に「次原稿あり」キーを押下
（５）１枚目画像ファイル化
（６）「つぎの原稿がないときは次原稿なしキーを押してください。」表示を行う。
【００１４】
（７）２枚目原稿をセットしてコピーキーを押下
（８）２ページ目原稿（画像「Ｂ」）スキャン
（９）２枚目画像ファイル化
（１０）「つぎの原稿がないときは次原稿なしキーを押してください。」表示を行う。
【００１５】
（１１）３枚目原稿をセットして、コピーキーを押下
（１２）３枚目原稿（画像「Ａ」）スキャン
（１３）３枚目画像ファイル化
（１４）「つぎの原稿がないときは次原稿なしキーを押してください。」表示を行う。
【００１６】
（１５）「次原稿なし」キーを押下
（１６）プリントスタート
ところが、まず例１のケースを想定すると、一般に複数ページの原稿をＡＤＦを使わずにつぎつぎに複写機に読み取らせていく場合（多くはブック原稿の場合）、所定の原稿を置き、コピーキーを押すという動作を繰り返すことになる。このような操作を繰り返している場合、最後の原稿のときだけコピーキーでない別のキーを押すというのは非常に分かりづらい操作になる。また、エンドキーを押すときは最後の原稿をスキャンするときであるから、誤った操作により最後の原稿をコピーキーを押して読み取らせてしまうと、所定のプリントイメージを得るためには再び最初から操作をやり直さなければならない。
【００１７】
例２のケースについて考えて見ても、複数枚の原稿を読みとらせたいときには、原稿スキャン中という非常に短い間に、次原稿ありキーを押下しなければならず、これも非常にわかりづらい。またそればかりでなく、上記の短い間に次原稿ありキーを押さないと、複写機はそのときの原稿が最終原稿だと判断して編集を始めてしまう。
したがって、複写機が原稿入力をさせる際に、それが最終原稿であるか否かの判断が必要な構造が問題であった。
【００１８】
【発明が解決しようとする課題】
上記したように、原稿入力をさせる際に、それが最終原稿であるか否かの判断が必要な構造が問題であった点を除去するもので、電子ソート機能やメモリ編集機能によってコピー画像を得る場合、自動原稿送り装置を使用しない時、あるいは自動原稿送り装置の１枚送りモード使用時に、簡易で誤操作が少なく、確実に最終原稿の指定が行える操作系を実現することができる画像形成装置を提供することを目的とする。
【００１９】
【課題を解決するための手段】
この発明の画像形成装置は、複数の原稿が積載可能な原稿給紙台にセットされている原稿を順次所定の原稿読取位置へ搬送する自動原稿搬送手段、この自動原稿搬送手段により上記原稿読取位置に搬送される原稿の画像を読取る読取手段、この読取手段により読取った画像を記憶する記憶手段、上記原稿給紙台に積載されている原稿の画像を１つづつ読み取る動作モードが指示されている場合、上記自動原稿搬送手段により上記原稿給紙台にセットされている原稿のうちの１枚の原稿だけを上記原稿読取位置に搬送させ、上記読取手段により上記原稿読取位置に搬送された１枚の原稿の画像を読み取り、この読取った１枚の原稿の画像を上記記憶手段に記憶することにより1枚の原稿に対する読取処理を行う第１の処理手段、この第１の処理手段により１枚の原稿に対する読取処理を行うとともに、次の原稿の有り無しの指示を要求する案内を表示する表示手段、この表示手段により表示されている案内に応じて次の原稿の有りが指示された場合、上記第１の処理手段により上記原稿給紙台にセットされている原稿のうち次の１枚の原稿に対する読取処理を行うとともに、上記表示手段により次の原稿の有り無しの指示を要求する案内を表示する第２の処理手段、上記表示手段により表示されている案内に応じて次の原稿の無しが指示された場合、上記記憶手段に記憶されている原稿の画像に基づいて被画像形成媒体への画像形成処理を行う第３の処理手段から構成されている。
【００２０】
この発明の画像形成装置は、原稿載置台に載置されている原稿の画像を読取る読取手段、この読取手段により読取った画像を記憶する記憶手段、この記憶手段に記憶した原稿の画像に基づいて画像形成処理を行う動作モードが指示されている場合、上記原稿載置台に載置されている原稿の画像を１枚の原稿の画像として上記読取手段により読み取り、この読取った画像を上記記憶手段に記憶することにより1枚の原稿に対する読取処理を行う第１の処理手段、この第１の処理手段により１枚の原稿に対する読取処理を行うとともに、次の原稿の有り無しの指示を要求する案内を表示する表示手段、この表示手段により表示された案内に応じて次の原稿の有りが指示された場合、上記第１の処理手段により上記原稿載置台に載置されている原稿を次の１枚の原稿の画像として次の1枚の原稿に対する読取処理を行うとともに、上記表示手段により次の原稿の有り無しの指示を要求する案内を表示する第２の処理手段、上記表示手段により表示された案内に応じて次の原稿の無しが指示された場合、上記記憶手段に記憶されている原稿の画像に基づいて被画像形成媒体への画像形成処理を行う第３の処理手段から構成されている。
【００２１】
この発明の画像形成装置は、複数の原稿が積載可能な原稿給紙台にセットされている原稿を順次所定の原稿読取位置へ搬送する自動原稿搬送手段、この自動原稿搬送手段により上記原稿読取位置に搬送される原稿の画像を読取る読取手段、この読取手段により読取った画像を記憶する記憶手段、上記原稿給紙台に積載されている原稿の画像を１つづつ読み取る動作モードと上記記憶手段に記憶した原稿の画像を編集する編集モードとが指示されている場合、上記自動原稿搬送手段により上記原稿給紙台にセットされている原稿のうちの１枚の原稿だけを上記原稿読取位置に搬送させ、上記読取手段により上記原稿読取位置に搬送された１枚の原稿の画像を読み取り、この読取った１枚の原稿の画像を上記記憶手段に記憶することにより1枚の原稿に対する読取処理を行う第１の処理手段、この第１の処理手段により１枚の原稿に対する読取処理を行うとともに、次の原稿の有り無しの指示を要求する案内を表示する表示手段、この表示手段により表示されている案内に応じて次の原稿の有りが指示された場合、上記第１の処理手段により上記原稿給紙台にセットされている原稿のうち次の１枚の原稿に対する読取処理を行うとともに、上記表示手段により次の原稿の有り無しの指示を要求する案内を表示する第２の処理手段、上記表示手段により表示されている案内に応じて次の原稿の無しが指示された場合、上記記憶手段に記憶されている画像に対して、上記編集モードに応じた編集処理を行ってから被画像形成媒体への画像形成処理を行う第３の処理手段から構成されている。
【００２２】
この発明の画像形成装置は、原稿載置台に載置されている原稿の画像を読取る読取手段、この読取手段により読取った画像を記憶する記憶手段、この記憶手段に記憶した原稿の画像を編集する編集モードが指示されている場合、上記原稿載置台に載置されている原稿の画像を１枚の原稿の画像として上記読取手段により読み取り、この読取った画像を上記記憶手段に記憶することにより1枚の原稿に対する読取処理を行う第１の処理手段、この第１の処理手段により１枚の原稿に対する読取処理を行うとともに、次の原稿の有り無しの指示を要求する案内を表示する表示手段、この表示手段により表示された案内に応じて次の原稿の有りが指示された場合、上記第１の処理手段により上記原稿載置台に載置されている原稿を次の１枚の原稿の画像として次の1枚の原稿に対する読取処理を行うとともに、上記表示手段により次の原稿の有り無しの指示を要求する案内を表示する第２の処理手段、上記表示手段により表示された案内に応じて次の原稿の無しが指示された場合、上記記憶手段に記憶されている画像に対して、上記編集モードに応じた編集処理を行ってから被画像形成媒体への画像形成処理を行う第３の処理手段から構成されている。
【００２３】
この発明の画像形成装置は、複数の原稿が積載可能な原稿給紙台にセットされている原稿を順次所定の原稿読取位置へ搬送する自動原稿搬送手段、この自動原稿搬送手段により上記原稿読取位置に搬送される原稿の画像を読取る読取手段、この読取手段により読取った画像を記憶する記憶手段、上記原稿給紙台に積載されている原稿の画像を１つづつ読み取る動作モードが指示されている場合、上記自動原稿搬送手段により上記原稿給紙台にセットされている原稿のうちの１枚の原稿だけを上記原稿読取位置に搬送させ、上記読取手段により上記原稿読取位置に搬送された１枚の原稿の画像を読み取り、この読取った１枚の原稿の画像を上記記憶手段に記憶することにより1枚の原稿に対する読取処理を行う第１の処理手段、この第１の処理手段により１枚の原稿に対する読取処理を行うとともに、次の原稿の有り無しの指示を要求する案内と次の原稿の有り無しを指示する指示キーとを表示する表示手段、この表示手段により表示されている案内に応じて上記指示キーにより次の原稿の有りが指示された場合、上記第１の処理手段により上記原稿給紙台にセットされている原稿のうち次の１枚の原稿に対する読取処理を行うとともに、上記表示手段により次の原稿の有り無しの指示を要求する案内と次の原稿の有り無しを指示する指示キーとを表示する第２の処理手段、上記表示手段により表示されている案内に応じて上記指示キーにより次の原稿の無しが指示された場合、上記記憶手段に記憶されている原稿の画像に基づいて被画像形成媒体への画像形成処理を行う第３の処理手段から構成されている。
【００２４】
この発明の画像形成装置は、原稿載置台に載置されている原稿の画像を読取る読取手段、この読取手段により読取った画像を記憶する記憶手段、この記憶手段に記憶した原稿の画像に基づいて画像形成処理を行う動作モードが指示されている場合、上記原稿載置台に載置されている原稿の画像を１枚の原稿の画像として上記読取手段により読み取り、この読取った画像を上記記憶手段に記憶することにより1枚の原稿に対する読取処理を行う第１の処理手段、この第１の処理手段により１枚の原稿に対する読取処理を行うとともに、次の原稿の有り無しの指示を要求する案内と次の原稿の有り無しを指示する指示キーとを表示する表示手段、この表示手段により表示された案内に応じて上記指示キーにより次の原稿の有りが指示された場合、上記第１の処理手段により上記原稿載置台に載置されている原稿を次の１枚の原稿の画像として次の1枚の原稿に対する読取処理を行うとともに、上記表示手段により次の原稿の有り無しの指示を要求する案内と次の原稿の有り無しを指示する指示キーとを表示する第２の処理手段、上記表示手段により表示された案内に応じて上記指示キーにより次の原稿の無しが指示された場合、上記記憶手段に記憶されている原稿の画像に基づいて被画像形成媒体への画像形成処理を行う第３の処理手段から構成されている。
【００２５】
この発明の画像形成装置は、複数の原稿が積載可能な原稿給紙台にセットされている原稿を順次所定の原稿読取位置へ搬送する自動原稿搬送手段、この自動原稿搬送手段により上記原稿読取位置に搬送される原稿の画像を読取る読取手段、この読取手段により読取った画像を記憶する記憶手段、上記原稿給紙台に積載されている原稿の画像を１つづつ読み取る動作モードと上記記憶手段に記憶した原稿の画像を編集する編集モードとが指示されている場合、上記自動原稿搬送手段により上記原稿給紙台にセットされている原稿のうちの１枚の原稿だけを上記原稿読取位置に搬送させ、上記読取手段により上記原稿読取位置に搬送された１枚の原稿の画像を読み取り、この読取った１枚の原稿の画像を上記記憶手段に記憶することにより1枚の原稿に対する読取処理を行う第１の処理手段、この第１の処理手段により１枚の原稿に対する読取処理を行うとともに、次の原稿の有り無しの指示を要求する案内と次の原稿の有り無しを指示する指示キーとを表示する表示手段、この表示手段により表示されている案内に応じて上記指示キーにより次の原稿の有りが指示された場合、上記第１の処理手段により上記原稿給紙台にセットされている原稿のうち次の１枚の原稿に対する読取処理を行うとともに、上記表示手段により次の原稿の有り無しの指示を要求する案内と次の原稿の有り無しを指示する指示キーとを表示する第２の処理手段、上記表示手段により表示されている案内に応じて上記指示キーにより次の原稿の無しが指示された場合、上記記憶手段に記憶されている画像に対して、上記編集モードに応じた編集処理を行ってから被画像形成媒体への画像形成処理を行う第３の処理手段から構成されている。
【００２６】
この発明の画像形成装置は、原稿載置台に載置されている原稿の画像を読取る読取手段、この読取手段により読取った画像を記憶する記憶手段、この記憶手段に記憶した原稿の画像を編集する編集モードが指示されている場合、上記原稿載置台に載置されている原稿の画像を１枚の原稿の画像として上記読取手段により読み取り、この読取った画像を上記記憶手段に記憶することにより1枚の原稿に対する読取処理を行う第１の処理手段、この第１の処理手段により１枚の原稿に対する読取処理を行うとともに、次の原稿の有り無しの指示を要求する案内と次の原稿の有り無しを指示する指示キーとを表示する表示手段、この表示手段により表示された案内に応じて上記指示キーにより次の原稿の有りが指示された場合、上記第１の処理手段により上記原稿載置台に載置されている原稿を次の１枚の原稿の画像として次の1枚の原稿に対する読取処理を行うとともに、上記表示手段により次の原稿の有り無しの指示を要求する案内と次の原稿の有り無しを指示する指示キーとを表示する第２の処理手段、上記表示手段により表示された案内に応じて上記指示キーにより次の原稿の無しが指示された場合、上記記憶手段に記憶されている画像に対して、上記編集モードに応じた編集処理を行ってから被画像形成媒体への画像形成処理を行う第３の処理手段から構成されている。
【００２７】
【発明の実施の形態】
以下、この発明の実施の形態につき図面を参照して説明する。
すなわち、この発明をコピ―（ＰＰＣ）、ファクシミリ（ＦＡＸ）、プリンタ（ＰＲＴ）の３機能を有する複合形の画像形成装置の実施例を用いて説明する。
【００２８】
図１はこの発明の画像形成装置の一例としてのデジタル複写機の内部構造を示す概略構成ブロック図である。
図１に示すように、デジタル複写機は装置本体１０を備え、この装置本体１０内には、後述する読取り手段として機能するスキャナ部４、および画像形成手段として機能するプリンタ部６が設けられている。
【００２９】
装置本体１０の上面には、読取対象物、つまり原稿Ｄが載置される透明なガラスからなる原稿載置台１２が設けられている。また、装置本体１０の上面には、原稿載置台１２上に原稿を自動的に送る自動原稿送り装置（以下、ＡＤＦと称する）７が配設されている。このＡＤＦ７は、原稿載置台１２に対して開閉可能に配設され、原稿載置台１２に載置された原稿Ｄを原稿載置台１２に密着させる原稿押さえとしても機能する。
【００３０】
ＡＤＦ７は、原稿Ｄがセットされる原稿トレイ８、原稿の有無を検出するエンプティセンサ９、原稿トレイ８から原稿を一枚づつ取り出すピックアップローラ１４、取り出された原稿を搬送する給紙ローラ１５、原稿の先端を整位するアライニングローラ対１６、原稿載置台１２のほぼ全体を覆うように配設された搬送ベルト１８を備えている。そして、原稿トレイ８に上向きにセットされた複数枚の原稿は、その最下の頁、つまり、最終頁から順に取り出され、アライニングローラ対１６により整位された後、搬送ベルト１８によって原稿載置台１２の所定位置へ搬送される。
【００３１】
ＡＤＦ７において、搬送ベルト１８を挟んでアライニングローラ対１６と反対側の端部には、反転ローラ２０、非反転センサ２１、フラッパ２２、排紙ローラ２３が配設されている。後述するスキャナ部４により画像情報の読取られた原稿Ｄは、搬送ベルト１８により原稿載置台１２上から送り出され、反転ローラ２０、フラッパ２１、および排紙ローラ２２を介してＡＤＦ７上面の原稿排紙部２４上に排出される。原稿Ｄの裏面を読取る場合、フラッパ２２を切換えることにより、搬送ベルト１８によって搬送されてきた原稿Ｄは、反転ローラ２０によって反転された後、再度搬送ベルト１８により原稿載置台１２上の所定位置に送られる。
【００３２】
上記ＡＤＦ７の給紙側のカバー１１には、原稿１枚送りモードを指示する原稿１枚送りキー１１ａが設けられている。
装置本体１０内に配設されたスキャナ部４は、原稿載置台１２に載置された原稿Ｄを照明する光源としての露光ランプ２５、および原稿Ｄからの反射光を所定の方向に偏向する第１のミラー２６を有し、これらの露光ランプ２５および第１のミラー２６は、原稿載置台１２の下方に配設された第１のキャリッジ２７に取り付けられている。
【００３３】
第１のキャリッジ２７は、原稿載置台１２と平行に移動可能に配置され、図示しない歯付きベルト等を介して駆動モータにより、原稿載置台１２の下方を往復移動される。
【００３４】
また、原稿載置台１２の下方には、原稿載置台１２と平行に移動可能な第２のキャリッジ２８が配設されている。第２のキャリッジ２８には、第１のミラー２６により偏向された原稿Ｄからの反射光を順に偏向する第２および第３のミラー３０、３１が互いに直角に取り付けられている。第２のキャリッジ２８は、第１のキャリッジ２７を駆動する歯付きベルト等により、第１のキャリッジ２７に対して従動されるとともに、第１のキャリッジに対して、１／２の速度で原稿載置台１２に沿って平行に移動される。
【００３５】
また、原稿載置台１２の下方には、第２のキャリッジ２８上の第３のミラー３１からの反射光を集束する結像レンズ３２と、結像レンズにより集束された反射光を受光して光電変換するＣＣＤセンサ３４とが配設されている。結像レンズ３２は、第３のミラー３１により偏向された光の光軸を含む面内に、駆動機構を介して移動可能に配設され、自身が移動することで反射光を所望の倍率で結像する。そして、ＣＣＤセンサ３４は、入射した反射光を光電変換し、読取った原稿Ｄに対応する電気信号を出力する。
【００３６】
一方、プリンタ部６は、潜像形成手段として作用するレーザ露光装置４０を備えている。レーザ露光装置４０は、光源としての半導体レーザ４１と、半導体レーザ４１から出射されたレーザ光を連続的に偏向する走査部材としてのポリゴンミラー３６と、ポリゴンミラー３６を後述する所定の回転数で回転駆動する走査モータとしてもポリゴンモータ３７と、ポリゴンミラーからのレーザ光を偏向して後述する感光体ドラム４４へ導く光学系４２とを備えている。このような構成のレーザ露光装置４０は、装置本体１０の図示しない支持フレームに固定支持されている。
【００３７】
半導体レーザ４１は、スキャナ部４により読取られた原稿Ｄの画像情報、あるいはファクシミリ送受信文書情報等に応じてオン・オフ制御され、このレーザ光はポリゴンミラー３６および光学系４２を介して感光体ドラム４４へ向けられ、感光体ドラム４４周面を走査することにより感光体ドラム４４周面上に静電潜像を形成する。
【００３８】
また、プリンタ部６は、装置本体１０のほぼ中央に配設された像担持体としての回転自在な感光体ドラム４４を有し、感光体ドラム４４周面は、レーザ露光装置４０からのレーザ光により露光され、所望の静電潜像が形成される。感光体ドラム４４の周囲には、ドラム周面を所定の電荷に帯電させる帯電チャージャ４５、感光体ドラム４４周面上に形成された静電潜像に現像剤としてのトナーを供給して所望の画像濃度で現像する現像器４６、後述する用紙カセットから給紙された被転写材、つまり、コピー用紙Ｐを感光体ドラム４４から分離させるための剥離チャージャ４７を一体に有し、感光体ドラム４４に形成されたトナー像を用紙Ｐに転写させる転写チャージャ４８、感光体ドラム４４周面からコピー用紙Ｐを剥離する剥離爪４９、感光体ドラム４４周面に残留したトナーを清掃する清掃装置５０、および、感光体ドラム４４周面の除電する除電器５１が順に配置されている。
【００３９】
装置本体１０内の下部には、それぞれ装置本体から引出し可能な上段カセット５２、中段カセット５３、下段カセット５４が互いに積層状態に配設され、各カセット内にはサイズの異なるコピー用紙が装填されている。これらのカセットの側方には大容量フィーダ５５が設けられ、この大容量フィーダ５５には、使用頻度の高いサイズのコピー用紙Ｐ、例えば、Ａ４サイズのコピー用紙Ｐが約３０００枚収納されている。また、大容量フィーダ５５の上方には、手差しトレイ５６を兼ねた給紙カセット５７が脱着自在に装着されている。
【００４０】
装置本体１０内には、各カセットおよび大容量フィーダ５５から感光体ドラム４４と転写チャージャ４８との間に位置した転写部を通って延びる搬送路５８が形成され、搬送路５８の終端には定着ランプ６０ａを有する定着装置６０が設けられている。定着装置６０に対向した装置本体１０の側壁には排出口６１が形成され、排出口６１にはシングルトレイのフィニッシャ１５０が装着されている。
【００４１】
上段カセット５２、中段カセット５３、下段カセット５４、給紙カセット５７の近傍および大容量フィーダ５５の近傍には、カセットあるいは大容量フィーダから用紙Ｐを一枚づつ取り出すピックアップローラ６３がそれぞれ設けられている。また、搬送路５８には、ピックアップローラ６３により取り出されたコピー用紙Ｐを搬送路５８を通して搬送する多数の給紙ローラ対６４が設けられている。
【００４２】
搬送路５８において感光体ドラム４４の上流側にはレジストローラ対６５が設けられている。レジストローラ対６５は、取り出されたコピー用紙Ｐの傾きを補正するとともに、感光体ドラム４４上のトナー像の先端とコピー用紙Ｐの先端とを整合させ、感光体ドラム４４周面の移動速度と同じ速度でコピー用紙Ｐを転写部へ給紙する。レジストローラ対６５の手前、つまり、給紙ローラ６４側には、コピー用紙Ｐの到達を検出するアライニング前センサ６６が設けられている。
【００４３】
ピックアップローラ６３により各カセットあるいは大容量フィーダ５５から１枚づつ取り出されたコピー用紙Ｐは、給紙ローラ対６４によりレジストローラ対６５へ送られる。そして、コピー用紙Ｐは、レジストローラ対６５により先端が整位された後、転写部に送られる。
【００４４】
転写部において、感光体ドラム４４上に形成された現像剤像、つまり、トナー像が、転写チャージャ４８により用紙Ｐ上に転写される。トナー像の転写されたコピー用紙Ｐは、剥離チャージャ４７および剥離爪４９の作用により感光体ドラム４４周面から剥離され、搬送路５２の一部を構成する搬送ベルト６７を介して定着装置６０に搬送される。そして、定着装置６０によって現像剤像がコピー用紙Ｐに溶融定着さた後、コピー用紙Ｐは、給紙ローラ対６８および排紙ローラ対６９により排出口６１を通してフィニッシャ１５０上へ排出される。
【００４５】
搬送路５８の下方には、定着装置６０を通過したコピー用紙Ｐを反転して再びレジストローラ対６５へ送る自動両面装置７０が設けられている。自動両面装置７０は、コピー用紙Ｐを一時的に集積（スタック）する一時集積部７１と、搬送路５８から分岐し、定着装置６０を通過したコピー用紙Ｐを反転して一時集積部７１に導く反転路７２と、一時集積部に集積されたコピー用紙Ｐを一枚づつ取り出すピックアップローラ７３と、取り出された用紙を搬送路７４を通してレジストローラ対６５へ給紙する給紙ローラ７５とを備えている。また、搬送路５８と反転路７２との分岐部には、コピー用紙Ｐを排出口６１あるいは反転路７２に選択的に振り分ける振り分けゲート７６が設けられている。
【００４６】
両面コピーを行う場合、定着装置６０を通過したコピー用紙Ｐは、振り分けゲート７６により反転路７２に導かれ、反転された状態で一時集積部７１に一時的に集積された後、ピックアップローラ７３および給紙ローラ対７５により、搬送路７４を通してレジストローラ対６５へ送られる。そして、コピー用紙Ｐはレジストローラ対６５により整位された後、再び転写部に送られ、コピー用紙Ｐの裏面にトナー像が転写される。その後、コピー用紙Ｐは、搬送路５８、定着装置６０および排紙ローラ６９を介してフィニッシャ１５０に排紙される。
【００４７】
フィニッシャ１５０は排出された一部構成の文書を一部単位でステープル止めし貯めていくものである。図２に示すように、ステープルするコピー用紙Ｐが一枚排出口６１から排出される度にガイドバー１５１にてステープルされる側に寄せて整合する。全てが排出され終わると紙押えアーム１５２が排出された一部単位のコピー用紙Ｐを抑えステープラユニット１５３がステープル止めを行う。その後、図３の破線で示す位置にガイドバー１５１が下がり、ステープル止めが終わったコピー用紙Ｐはその一部単位でフィニッシャ排出ローラ１５５にてそのフィニッシャ排出トレイ１５４に図４に示すように、排出される。フィニッシャ排出トレイ１５４の下がる量は排出されるコピー用紙Ｐの枚数によりある程度決められ、一部単位に排出される度にステップ的に下がる。また排出されるコピー用紙Ｐを整合するガイドバー１５１はフィニッシャ排出トレイ１５４上に載った既にステープル止めされたコピー用紙Ｐに当たらないような高さの位置にある。
【００４８】
また、フィニッシャ排出トレイ１５４は、ソートモード時、一部ごとにシフト（たとえば、前後左右の４つの方向へ）するシフト機構（図示しない）に接続されている。
【００４９】
また、装置本体１０の前面上部には、様々な複写条件並びに複写動作を開始させる複写開始信号などを入力する操作パネル８０が設けられている。
操作パネル８０は、図５に示すように、テンキー８１、コピーキー８２、状態表示部８３、液晶表示部８４、原稿サイズ設定キー８５、用紙サイズ設定キー８６、濃度表示部８７、濃度設定キー８８、倍率設定キー８９、クリア／ストップキー９０、フィニッシャーキー９１、割込キー９２、オールクリアキー９３、およびカセット選択キー９４によって構成されている。
【００５０】
テンキー８１は、原稿枚数やコピー枚数を設定するものである。
コピーキー８２は、コピー開始を指示するものである。
状態表示部８３は、給紙カセットの選択状態や、原稿や、用紙のジャムなどを案内表示するものである。
【００５１】
液晶表示部８４は、原稿枚数やコピー枚数を表示するとともに、複写倍率や編集の表示や種々の操作案内を行うものである。この液晶表示部８４には、タッチパネルが設けられており、種々の動作指示が入力できるようになっている。たとえば、待機時、図６に示すように、「コピーできます、Ａ４、１００％、１枚」が表示されるとともに、基本キー、編集キー、拡張キー、設定調整キーが表示され、それらが入力できるようになっている。
【００５２】
この液晶表示部８４に表示される編集キーが入力された際、メモリ編集機能として４枚の原稿を１枚の用紙Ｐにコピーする４ｉｎ１モード、２枚の原稿を１枚の用紙Ｐにコピーする２ｉｎ１モード、コピー結果を中綴じすることにより本のような頁順にコピーされる中綴じモードが選択指示できるようになっている。
【００５３】
中綴じモードは、たとえばＢ５サイズの８頁の原稿の場合、Ｂ４サイズのコピー用紙の排出時に、１枚目のコピー用紙の裏面側に１頁目と８頁目がコピーされ、表面側に２頁目と７頁目がコピーされ、２枚目のコピー用紙の裏面側に３頁目と６頁目がコピーされ、表面側に４頁目と５頁目がコピーされるものである。これにより、そのコピー用紙を中折り綴じすることにより、１頁目から８頁目が順に揃った本（週刊誌）のようなコピーが得られる。
【００５４】
上記メモリ編集機能による各モードの処理時で、しかもＡＤＦ７の不使用時、またはＡＤＦ７の原稿１枚送りモードを使ってコピーするときには、コピーキー８２が入力されるごとに、液晶表示部８４には、図７に示すように、「次の原稿がありますか？」という案内が表示されるとともに、ＹＥＳキー、ＮＯキーも表示される。ＹＥＳキーは、次の原稿がある際に入力されるキーであり、ＮＯキーは、次の原稿がない際に入力されるキーである。
【００５５】
原稿サイズ設定キー８５は、原稿Ｄのサイズを設定するものである。
用紙サイズ設定キー８６は、用紙Ｐのサイズを設定するものである。
濃度表示部８７は、濃度設定キー８８により設定されるコピー濃度が表示されるものである。
【００５６】
倍率設定キー８９は、コピー倍率を設定するものである。
クリア／ストップキー９０は、テンキー８１による設定内容をクリアし、標準状態に戻すものである。
【００５７】
フィニッシャーキー９１は、スティプル、ソート、グループのソートモードを設定するものである。
割込キー９２は、割込コピーを設定するキーである。
【００５８】
オールクリアキー９３は、動作の中止を指示するキーである。
カセット選択キー９４は、用紙Ｐを給紙する給紙カセット５２、５３、５４、５５、５７を選択するキーである。
【００５９】
次に、図８乃至図１１を参照して画像形成装置の制御回路について説明する。図８は一実施例に係わるデジタル複写機制御システム等の画像形成装置の構成ブロック図の概略図、図９はスキャナ部を、図１０は基本部ＣＰＵを、図１１はプリンタ部を示す。
【００６０】
デジタル複写機制御システムは、全体は大きく２つのブロックより成り、スキャナ部４、プリンタ部６との間を画像処理手段２１４で繋ぎ、デジタル複写機を構成する基本部３０１と、この基本部３０１からの画像データを受け取り記録し、その記録した画像データを再び基本部３０１に転送することでメモリコピー（電子ソート）を実現するページメモリ部３０２とから構成される。
【００６１】
基本部３０１とページメモリ部３０２は制御データをやりとりする基本部システムインタフェース３１６、画像データをやりとりする基本部画像インタフェース３１７とで接続されている。
【００６２】
次に、基本部３０１は入力手段（スキャナ部）４、出力手段（プリンタ部）６、画像処理手段３１４、およびこれらを制御する制御手段（基本部ＣＰＵ）３１１から構成される。
【００６３】
制御手段（基本部ＣＰＵ）３１１のメインＣＰＵ１００には、ＲＯＭ１０２、ＲＡＭ１０４、画像メモリ１０６、内部インタフェース１２２、外部インターフェース１２３、ファクシミリインターフェース１２６、プリンタインターフェース１２８、補助記録装置インターフェース１３０、符号変換回路１３２、圧縮／伸長回路１３４が接続されている。内部インタフェース１２２には操作パネル８０が接続され、外部インターフェース１２３には、外部装置としての上記ＡＤＦ７が接続され、ファクシミリインターフェース１２６には、公衆回線１３６が接続され、プリンタインターフェース１２８には、外部装置１３８が接続され、補助記録装置インターフェース１３０には、ＩＣカードリーダ・ライタ１４２、ハードディスクドライブ１４４等が接続されている。
【００６４】
ここで、画像情報の記録・呼び出し等はメインＣＰＵ１００によって行われる。例えば、画像情報を記録する場合、スキャナＣＰＵ１６０の制御でスキャナ部４によって読みこまれた画像情報はメインＣＰＵ１００の指示により画像メモリ１０６に記録される。メインＣＰＵ１００の指示は、操作パネル８０からの入力（キ―入力）や上記ＡＤＦ７の原稿１枚送りキー１１ａの入力によってモ―ドが決定され行われる。
【００６５】
ＲＡＭ１０４には、パラメータテーブル１０４ａが設定されるようになっている。このパラメータテーブル１０４ａには、操作パネル８０等により設定された複写条件が記録されるようになっており、設定されない条件は規定値が対応しているようになっている。この複写条件として設定されるパラメータは、複写部数、原稿サイズ、用紙サイズ、倍率、ソートモード、４ｉｎ１モード、２ｉｎ１モード、中綴じモード、ＡＤＦ７の原稿１枚送りモード等である。
【００６６】
次に、図９を参照してスキャナ部４の詳細な構成について説明する。スキャナ部４のスキャナＣＰＵ１６０には、露光ランプ２５を制御するランプ制御部１６４、走査モータ１６６を制御するモータドライバ１６８、センサ、スイッチ、ソレノイド類１７０を駆動制御する駆動部１７２に接続してこれらを制御し、また、ＣＣＤセンサ３４からの画像情報について画像処理するためのＡ／Ｄ変換回路１７６、解像度変換回路１７８、シェーディング補正回路１７９、画質改善回路１８０、２値化回路１８２に接続して、これらを制御する。
【００６７】
次に、図１１を参照してプリンタ部６について詳細に説明する。プリンタ部６において、プリンタＣＰＵ１９０には、メインモータ１９２を駆動するメインモータドライバ１９４、センサ、スイッチ、ソレノイド類１９６を駆動制御する駆動部１９８、定着ランプ６０ａを制御する定着ランプ制御部２０２、帯電チャージャ４５、転写チャージャ４８、剥離チャージャ４７に高圧トランス２１３、２１４、２１５からの高圧電圧を印加制御する高圧出力制御部２１２、除電器５１を制御する除電器制御部２１６、給紙ローラ対６４、…、６８、レジストローラ対６５、搬送ベルト６７、排紙ローラ対６９用の給紙モータ２２２を制御する給紙制御部２２４、半導体レーザ４１、ポリゴンモータ３７用のレーザ駆動回路２３０を制御する変調回路３２３に接続して、これらを制御する。
【００６８】
次に、ペ−ジメモリ部３０２について図８を参照して説明する。ページメモリ部３０２は、基本部３０１およびからのページメモリ３２３へのアクセスを制御し、通信メモリ３０５を内蔵するシステム制御手段３０４、画像データを一時的に記録しておく記録手段（ページメモリ）３２３、ページメモリ３２３のアドレスを生成するアドレス制御部３０６、ページメモリ部３０２内の各デバイス間のデータ転送を行う画像バス３２０、ページメモリ部３０２内の各デバイスとシステム制御手段３０４との間の制御信号の転送を行う制御バス３２１、画像バス３２０を介してページメモリ３２３と他のデバイスとのデータ転送を行うときのデータ転送を制御するデータ制御手段３０７、基本部画像インタフェース３１７を介して基本部３０１と画像データを転送するときに画像データをインタフェースする画像データＩ／Ｆ手段３０８、解像度の異なる機器に画像データを送信するときに画像データを他の機器の解像度に変換したり、解像度の異なる機器から受信した画像データを基本部３０１のプリンタ部６の解像度に変換したり、２値画像データの９０度回転処理を実行する解像度変換／２値回転手段３２５、ファクシミリ送信や光ディスク記録のように画像データを圧縮して送信したり、記録したりするデバイスのために入力した画像データを圧縮したり、圧縮された形態の画像データをプリンタ部６を介して可視化するために伸長する圧縮／伸長手段３２４、画像データＩ／Ｆ手段３０８に接続され、プリンタ部６から画像データを出力するときに画像データを９０度あるいは−９０度回転して出力するときに使用する多値回転メモリ３０９で構成される。
【００６９】
また、ペ−ジメモリ３２３は図１２に示すようにスキャナ部４で読み込まれた原稿のイメ−ジデ−タが書き込まれる頁バッファ領域Ｍ１とそのイメ−ジデ−タを圧縮したデ−タが書き込まれる１ペ−ジ単位毎に区切られたファイル領域Ｍ２に区分されている。
【００７０】
このファイル領域Ｍ２の各ペ−ジの先頭アドレスはファイルエリア頁毎デ−タ先頭アドレス格納領域Ｍ３に記録されている。
また、ページメモリ３２３には、上記領域とは別に、編集メモリ用の画像合成領域Ｍ３を有している。これにより、たとえば、４ｉｎ１モード時、４頁分の画像データが頁バッファ領域Ｍ１に順次記憶され、その後、１頁目の原稿が１／４に縮小されて画像合成領域Ｍ３を４分割した左上の領域、２頁目の原稿が１／４に縮小されて画像合成領域Ｍ３を４分割した右上の領域、３頁目の原稿が１／４に縮小されて画像合成領域Ｍ３を４分割した左下の領域、４頁目の原稿が１／４に縮小されて画像合成領域Ｍ３を４分割した右上の領域に順次記憶される。この画像合成領域Ｍ３に記憶された合成画像データは各ラインごとに読出されて、プリンタ部６へ出力されるようになっている。
【００７１】
この場合、図１３の（ａ）に示すような４枚の原稿に対して、図１３の（ｂ）に示すような、コピー（プリント結果）が得られるようになっている。
次に、ステープル電子ソートについて、図１４、図１５を用いて説明する。
【００７２】
例として３ページからなる書類を２部複写することを考える。
図１４において、ソートなしのコピーでは、ＡＤＦ７からＤ３−Ｄ２−Ｄ１の順で原稿Ｄが原稿読取り位置へ送り込まれ、スキャナ部４による原稿読み込みとプリンタ部６による印刷の組み合わせで３−３−２−２−１−１の順で画像がコピー用紙Ｐに形成される。画像が形成されたコピー用紙Ｐは、フィニッシャ排出トレイ１５４上に上から１−１−２−２−３−３の順でスタックされる。
【００７３】
また、図１５において、ステープル電子ソートによるコピーでは、ＡＤＦ７からＤ３−Ｄ２−Ｄ１の順で原稿Ｄが原稿読取り位置へ送り込まれ、スキャナ部４によって３−２−１の順でページメモリ３２３に画像を読み込む。続いて３−２−１の順でページメモリ３２３からプリンタ部６に出力した後にステープルしてトレイに排紙する。同様に３−２−１とページメモリからプリンタに出力し、ステープルしてフィニッシャ排出トレイ１５４に排紙する。フィニッシャ排出トレイ１５４に排紙されたコピー用紙Ｐは、上から１−２−３の順でステープルされており、オペレータはステープルされた２部の書類のコピーを入手できる。
【００７４】
次に、上記のような構成において、４ｉｎ１の処理について、図１６に示すフローチャートを参照しつつ説明する。
すなわち、操作パネル８０の液晶表示部８４に初期画面が表示されている状態で（ＳＴ１）、編集キーが入力された際（ＳＴ２）、メインＣＰＵ１００はメモリ編集コピーモードと判断し（ＳＴ３）、液晶表示部８４に４ｉｎ１キー、２ｉｎ１キー、中綴じキーを表示する（ＳＴ４）。この表示に応じて、４ｉｎ１キーが入力された際（ＳＴ５）、メインＣＰＵ１００は４ｉｎ１モードでの処理を判断し、ページメモリ３２３の頁バッファ領域Ｍ１と画像合成領域Ｍ３を確保する（ＳＴ６）。
【００７５】
ついで、操作者は１枚あるいは複数枚の原稿を原稿トレイ８上にセットするか（ＳＴ７）、あるいは１枚目の原稿を原稿載置台１２上に載置する（ＳＴ８）。
原稿トレイ８上に原稿をセットした場合には、操作者により原稿１枚送りキー１１ａが入力されることにより（ＳＴ９）、メインＣＰＵ１００は原稿１枚送りモードを判断する（ＳＴ１０）。
【００７６】
この後、メインＣＰＵ１００は操作者によるコピーキー８２の入力を判断した場合（ＳＴ１１）、原稿１枚送りモードによりＡＤＦ７の原稿トレイ８上に載置されている原稿を１枚だけ搬送させ、原稿載置台１２上に載置させる（ＳＴ１２）。この載置の後、メインＣＰＵ１００はスキャナ部４を作動させ、スキャナ部４による原稿載置台１２上の原稿の読取り走査を行わせる（ＳＴ１３）。ついで、メインＣＰＵ１００は、このスキャナ部４で読取られた画像データを、画像処理手段３１４、基本部画像インターフェース３１７、画像データインターフェース手段３０８、画像バス３２０、データ制御手段３０７を順次介してページメモリ３２３に供給し、そのページメモリ３２３の頁バッファ領域Ｍ１に記憶する（ＳＴ１４）。
【００７７】
また、メインＣＰＵ１００はスキャナ部４による読取りを開始した際、液晶表示部８４で、図７に示すように、「次の原稿がありますか？」という案内画面と、ＹＥＳキー、ＮＯキーとが表示される（ＳＴ１５）。
【００７８】
この案内表示がなされている状態で、操作者によりコピーキー８２が入力された際（ＳＴ１６）、ステップ１２に戻り、ＡＤＦ７の原稿トレイ８上に載置されている次の原稿を原稿載置台１２上に載置させ、上記案内表示がなされている状態で、ＹＥＳキーが入力された際（ＳＴ１７）、ステップ１１に戻り、コピーキー８２を入力する。
【００７９】
また、ステップ１５の案内表示がなされている状態で、ＮＯキーが入力された際、あるいは所定時間（図示しないタイマにより計時される）経過した際（ＳＴ１８）、メインＣＰＵ１００はスキャナ部４による原稿の読取り走査の終了を判断し、プリント動作を開始する（ＳＴ１９）。
【００８０】
なお、上記ページメモリ３２３では、４ｉｎ１モードにおいて、４頁分の画像データが頁バッファ領域Ｍ１に記憶された際、上述したように、画像合成領域Ｍ３に縮小して合成された後、圧縮されてファイル領域Ｍ２に記憶される。
【００８１】
また、上記ＮＯキーの入力などにより、メインＣＰＵ１００がスキャナ部４による原稿の読取り走査の終了を判断した際、頁バッファ領域Ｍ１に記憶されている画像データを画像合成領域Ｍ３に縮小して合成される。
【００８２】
これにより、ファイル領域Ｍ２に記憶されている画像データが伸長されてプリンタ部６へ出力されたり、画像合成領域Ｍ３に記憶されている画像データがプリンタ部６へ出力されたりすることにより、４ｉｎ１による画像データのプリントが行われる。
【００８３】
たとえば、図１７の（ａ）に示すような、３枚の原稿に対する読取りがなされ、頁バッファ領域Ｍ１に３頁分の画像データが記憶されている際に、ＮＯキーが入力された場合、その３頁分の画像データがそれぞれ画像合成領域Ｍ３に縮小して記憶されることにより、合成される。この画像合成領域Ｍ３の合成画像データをプリンタ部６でプリントすることにより、図１７の（ｂ）に示すように、４頁目が空白の４ｉｎ１による画像データのプリントが行われる。
【００８４】
また、上記ステップ８で、１枚目の原稿の原稿載置台１２上に載置した際、上記ステップ１３に進む。以後の処理は同様に行われる。ただし、ステップ１７によりＹＥＳキーが入力された際、ステップ８に戻り次の原稿が原稿載置台１２上に載置される処理となり、ステップ１６によりコピーキーが入力された際、ステップ１３に戻り次の原稿に対する読取り走査の処理となる。
【００８５】
したがって、原稿ごとに、「次の原稿がありますか？」という案内が表示されるとともに、ＹＥＳキー、ＮＯキーも表示されるようになっている。これにより、原稿ごとに、ユーザの指示（または原稿入力）待ち状態とすることができ、ユーザが（ＮＯキーを押下することで）明示的に原稿の最終ページを指定できるため、４ｉｎ１モードで所望の結果が得られるようになる。
【００８６】
上記例では、４ｉｎ１モードの場合について説明したが、これに限らず、２ｉｎ１、中綴じモード、電子ソートモードの場合も上記同様に実施できる。すなわち、ページメモリを用いてコピーを行う場合に、原稿ごとに、「次の原稿がありますか？」という案内が表示されるとともに、ＹＥＳキー、ＮＯキーも表示されるようになっている。これにより、原稿ごとに、ユーザの指示（または原稿入力）待ち状態とすることができ、ユーザが（ＮＯキーを押下することで）明示的に原稿の最終ページを指定できるため、電子ソートやメモリ編集コピーで所望の結果が得られるようになる。
【００８７】
上記のように、この発明では、自動原稿送り装置を使用しない場合または原稿１枚送りモードで自動原稿送り装置を使用する場合、複数枚の原稿を読み取って記憶して蓄積する際、原稿の読み取り中または原稿の読み取り後に、その原稿が最後の原稿かもしくは次の原稿があるかを選択できるので、紛らわしい操作を無くし、確実に最終原稿の指定が行える。
【００８８】
【発明の効果】
以上詳述したように、この発明によれば、原稿の最終ページを原稿の読み取り後に、装置に対して指示することができるため、電子ソート機能やメモリ編集機能によってコピー画像を得る場合、自動原稿送り装置を使用しない時、あるいは自動原稿送り装置の１枚送りモード使用時に、簡易で誤操作が少なく、確実に最終原稿の指定が行える操作系を実現することができる画像形成装置を提供できる。
【図面の簡単な説明】
【図１】この発明の一実施例を説明するためのデジタル複写機の概略構成を示す図。
【図２】フィニッシャーを説明するための図。
【図３】フィニッシャーを説明するための図。
【図４】フィニッシャーを説明するための図。
【図５】操作パネルの構成を示す平面図。
【図６】液晶表示部の表示例を示す図。
【図７】液晶表示部の表示例を示す図。
【図８】デジタル複写機制御システムの概略構成を示すブロック図。
【図９】スキャナ部の概略構成を示すブロック図。
【図１０】基本部ＣＰＵの概略構成を示すブロック図。
【図１１】プリンタ部の概略構成を示すブロック図。
【図１２】ペ−ジメモリの頁バッファ領域Ｍ１とファイルエリアＭ２の関連を示す図。
【図１３】４ｉｎ１コピーを説明するための４枚の原稿の例を示す図。
【図１４】ソートなしのコピーを説明するための図。
【図１５】ステープル電子ソートによるコピーを説明するための図。
【図１６】４ｉｎ１の処理を説明するためのフローチャート。
【図１７】４ｉｎ１コピーを説明するための３枚の原稿の例を示す図。
【符号の説明】
４…スキャナ部
６…プリンタ部
７…自動原稿送り装置（ＡＤＦ）
Ｄ…原稿
Ｐ…コピー用紙
８０…操作パネル
８４…液晶表示部
３０１…基本部
３０２…ページメモリ部
３１１…基本部ＣＰＵ
３１４…画像処理手段
３２３…ページメモリ
【図１】
0003662685.tif 000002
【図２】
0003662685.tif 000003
【図３】
0003662685.tif 000004
【図４】
0003662685.tif 000005
【図５】
0003662685.tif 000006
【図６】
0003662685.tif 000007
【図７】
0003662685.tif 000008
【図８】
0003662685.tif 000009
【図９】
0003662685.tif 000010
【図１０】
0003662685.tif 000011
【図１１】
0003662685.tif 000012
【図１２】
0003662685.tif 000013
【図１３】
0003662685.tif 000014
【図１４】
0003662685.tif 000015
【図１５】
0003662685.tif 000016
【図１６】
0003662685.tif 000017
【図１７】
0003662685.tif 000018